(57)【要約】      （修正有）【課題】家庭や外出先などにおいて椅子に座らせた幼児が椅子からずり落ちないように保持することができ、また、椅子などに座った保護者の膝の上に幼児を前向きで座らせた状態で保護者の身体に保持させることができるベビーホルダを提供する。【解決手段】椅子Ｃなどに座らせた幼児Ｂの股から胸回りに掛けて保持するホルダー本体１と、ホルダー本体１の両側から延設されて椅子Ｃなどの背凭れＣ１に着脱可能に取り付けられる保持ベルト２とを備えて形成されている【選択図】図２
0003172866.tif 000002
【実用新案登録請求の範囲】
【請求項１】
椅子などに座らせた幼児の股から胸回りに掛けて保持するホルダー本体と、
該ホルダー本体の両側から延設されて前記椅子などの背凭れに着脱可能に取り付けられる保持ベルトと、を備えて形成されていることを特徴とするベビーホルダー。
【請求項２】
前記ホルダー本体は、幼児の胸回りに掛けて保持する前側保持部と、幼児の背中に掛けて保持する後側保持部とを連設させて展開可能に形成され、かつ、前記前側保持部と前記後側保持部との上辺縁部側を係脱可能に連結する連結部材を備え、
さらに、前記後側保持部の上辺縁部側における両側に前記保持ベルトを備えていることを特徴とする請求項１に記載のベビーホルダー。
【考案の詳細な説明】
【技術分野】
【０００１】
本考案は、ベビーホルダーに係り、詳しくは、椅子に座らせた幼児や使用者の膝の上に座らせた幼児を支え保持するために使用されるベビーホルダーに関する。
【背景技術】
【０００２】
外出時などにおいて保護者が身体に身に着けて幼児を前側抱っこ（対面・前向き抱っこ）や後側抱っこ（おんぶ）の状態などで保持するように構成されているベビーキャリアにおいては種々の形態が提案されている（例えば、特許文献１および特許文献２などを参照）。
【先行技術文献】
【特許文献】
【０００３】
【特許文献１】特開２００３−１００１０号公報
【特許文献２】特開２００６−１３０２３３号公報
【考案の概要】
【考案が解決しようとする課題】
【０００４】
ところで、特許文献１および特許文献２に記載されている従来技術では、保護者が身体の前側や後側で幼児を保持するように構成された身体保持専用のベビーキャリアであるために、住居（自宅）や外出先などにおいて幼児を椅子に座らせたときの椅子保持用としては応用（活用）することができない。
例えば、外出先のレストランや買い物先のショッピングセンターなどの外食店において幼児を椅子に座らせて一緒に食事を取る場合などにおいて、好奇心が旺盛な幼児は静かに座っていることなく身体を動かすために、椅子からずり落ちるおそれがある。そのために、保護者である母親などは片腕で抱っこしながら食事を取らなければならない。また、幼児に食事を与えなければならない。
【０００５】
そこで、本考案は、このような問題を解消することを課題に創案されたものである。すなわち、家庭や外出先などにおいて椅子に座らせた幼児が椅子からずり落ちないように保持することができること、また、椅子などに座った保護者の膝の上に幼児を前向きで座らせた状態で保護者の身体に保持させることができること、などが本考案の目的である。
【課題を解決するための手段】
【０００６】
前記課題を解決するために、本考案では、椅子などに座らせた幼児の股から胸回りに掛けて保持するホルダー本体と、該ホルダー本体の両側から延設されて前記椅子などの背凭れに着脱可能に取り付けられる保持ベルトと、を備えて形成されていることを特徴とする。
ここで、ホルダー本体と保持ベルトによる幼児の保持としては、椅子などに座る保護者の膝の上に前向き状態などで座らせた幼児を保持する使用法が挙げられる。
また、前記ホルダー本体は、幼児の胸回りに掛けて保持する前側保持部と、幼児の背中に掛けて保持する後側保持部とを連設させて展開可能に形成され、かつ、前記前側保持部と前記後側保持部との上辺縁部側を分離可能に連結する連結部材を備え、さらに、前記後側保持部の上辺縁部側における両側に前記保持ベルトを備えた構成とすることが好適なものとなる。
【０００７】
このような構成によれば、家庭や外出先の外食店などにおいて幼児を椅子に座らせるとき、股から胸回りに掛けた幼児の身体部分をホルダー本体で保持し、ホルダー本体の両側から延設させた保持ベルトを椅子の背凭れに取り付ける。これにより、幼児を椅子に保持させた状態で安定的に座らせることができる。
また、幼児を椅子に座らせて股から胸回りに掛けた幼児の身体部分を保持させるとき、ホルダー本体の後側保持部を背凭れに沿わせた状態で保持ベルトによって背凭れに取り付けるとともに、前側保持部を椅子の座面に広げる。この状態で幼児をホルダー本体の上に座らせ、前側保持部を座る幼児の股から胸回りに掛けて沿わせた状態で連結部材により後側保持部側に連結する。これにより、幼児の股から背中、そして、股から胸回りに掛けた身体部分をホルダー本体により包み込んだ状態で椅子に安定的に保持させることができる。
【０００８】
また、椅子などに座る保護者の膝の上に前向き状態で座らせた幼児を保持するホルダーとして適用した場合、前記のように、幼児の股から胸回り、背中に至る身体部分をホルダー本体に保持させ、保持ベルトを保護者の腹部や腰回りに取り付けることで、膝の上に幼児を安定的に保持させることができる。
【考案の効果】
【０００９】
本考案に係るベビーホルダーによれば、椅子に座らせた幼児を安定的に保持させることができる。これにより、外出先などで食事を取るとき、保護者は外食店において幼児を椅子に座らせて安心して食事を取ることができる。また、自宅などにおいて食事の準備などをするときには、目が届くダイニングなどの椅子に幼児を安心して座らせておくことができる。
【００１０】
また、保護者が幼児に食事を与えるとき、幼児の膝の上に安定的に保持させた状態で座らせることができる。これにより、保護者は両手が開いているために、例えば、食べ物が入った器（茶わんなど）を一方の手に持ち、他方の手にスプーンや箸などを持って幼児に食事を与えることができる。
【図面の簡単な説明】
【００１１】
【図１】本考案の実施形態に係るベビーホルダーを示す展開説明図である。
【図２】幼児を椅子に保持させたときの使用例を示し、（ａ）は、斜め前方からの見たときの斜視図であり、（ｂ）は、同背面図である。
【図３】幼児を保護者の膝の上に保持させたときの他の使用例を斜め前方からの見たときの斜視図である。
【考案を実施するための形態】
【００１２】
以下、本考案の実施形態について、適宜図面を参照しながら詳細に説明する。
図１は、本考案の実施形態に係るベビーホルダーを示す展開説明図である。
ベビーホルダーＡは、椅子Ｃに座らせた幼児Ｂや保護者ｂの膝の上に座らせた幼児Ｂが、椅子や保護者の膝の上からずり落ちないように保持するために適用されるものである。
【００１３】
≪ベビーホルダーの構成≫
ベビーホルダーＡは、図１および後記する図２に示すように、幼児ｂの股から胸回りに掛けて、そして、股から背中に掛けた幼児Ｂの身体部分を保持するホルダー本体１と、このホルダー本体１の両側に取り付けられる左右の保持ベルト２とを備えた形態に構成されている。
【００１４】
カバー本体１は、例えば、通気性や撥水性に優れた布地やシート地材を用いて形成（縫製）されている。このカバー本体１は、図１および後記する図２に示すように、椅子Ｃに座る幼児Ｂの股を受ける股受け部１ｃと、この股受け部１ｃから連設させて幼児Ｂの胸回りに掛けて幼児Ｂの身体を保持する前側保持部１ａと、股受け部１ｃから連設させて幼児Ｂの背中に掛けて幼児の身体を保持する後側保持部１ｂとから展開可能に形成されている。
【００１５】
前側保持部１ａは、幅が最も狭い股受け部１ｃから連設されて上辺縁部に至る（図１紙面下側）にしたがって幅広状の略台形形状に形成されている。一方、後側保持部１ｂは、股受け部１ｃから連設されて上辺縁部に至る（図１紙面上側）にしたがって前側保持部１ａよりも幅広状の略台形形状に形成されている。
そして、このように、股受け部１ｃからそれぞれ連設されて展開可能に形成されている前側保持部１ａと後側保持部１ｂとの上辺縁部側に位置する両側には連結部材３を備えている。
【００１６】
≪連結部材の構成≫
連結部材３は、椅子Ｃなどに座る幼児Ｂの股から胸回りに掛けて保持する前側保持部１ａと背中に掛けて保持する後側保持部１ｂとの上辺縁部側を係脱可能に連結する。つまり、椅子Ｃなどに座る幼児Ｂを前側保持部１ａと後側保持部１ｂとによって前後から保持し得るように前側保持部１ａと後側保持部１ｂとの上辺縁部側を係脱可能に連結するためのものである。
この連結部材３は、雄雌一対のバックル３ａ，３ｂからなり、図１に示すように、雄側バックル３ａは、後側保持部１ｂの上辺縁部側に位置する両側に連結ベルト５を介して取り付けられる一方で、雌側バックル３ｂは、前側保持部１ａの上辺縁部側に位置する両側に取り付けられる。これにより、図２に示すように、前側保持部１ａと後側保持部１ｂとの上辺縁部側における両側を係脱可能に連結するようになっている。
【００１７】
また、後側保持部１ｂの上辺縁部側における両側の連結ベルト３ｃの縫着による取り付け基部（縫着部）に、雄雌一対のバックル４ａ，４ｂよって係脱可能に連結される左右の保持ベルト２を備えている。
【００１８】
≪保持ベルトの構成≫
保持ベルト２は、合成繊維などの丈夫な素材によって適宜の幅と長さを有する帯板状に編み込み形成されて、雄雌一対のバックル４ａ，４ｂによってループ状に連結されるようになっている。
この左右の保持ベルト２は、その一端側が連結ベルト５の取り付け基部に位置して同じく縫着により取り付けられ、長さ方向の他端側に至るベルト途中に折り返し移動可能に雄雌一対のバックル４ａ，４ｂをそれぞれ備えてなる。これにより、図２に示すように、保持ベルト２に対するバックル４ａ，４ｂの移動によって連結ループ長さを椅子Ｃ（背凭れＣ１）の大きさなどに合わせて変更し得るようにしている。
【００１９】
［作用説明］
つぎに、以上のように構成されている本実施形態に係るベビーホルダーＡに使用例について簡単に説明する。
図２は、椅子に座らせた幼児の保持状態を示す斜視図および背面図であり、図３は、保護者の膝の上に座らせた幼児の保持状態を示す斜視図である。
【００２０】
まず、椅子Ｃに座らせた幼児Ｂを背凭れＣ１に保持するとき使用例について説明すると、図２（ｂ）に示すように、左右の保持ベルト２を背凭れＣ１の後ろに回して雄雌一対のバックル４ａ，４ｂを互いに嵌め合わせ連結してカバー本体１の後側保持部１ｂを背凭れＣ１に取り付ける。
このとき、雄雌一対のバックル４ａ，４ｂの係止位置を調整変位するように保持ベルト２のループ部を締め付けて、保持ベルト２を背凭れＣ１にしっかり取り付ける。そして、股受け部１ｃおよび前側保持部１ａは、図２（ａ）に二点鎖線で示すように、椅子Ｃの座面（座部）Ｃ２に広げた状態にしておく。この状態で幼児Ｂをホルダー本体１の上に座らせ、前側保持部１ａを座る幼児Ｂの股から胸回りに掛けて沿わせた状態にして連結部材３の雄雌一対のバックル３ａ，３ｂを互いに嵌め合わせて前側保持部１ａを後側保持部１ｂ側に連結する。
これにより、幼児Ｂの股から背中、そして、股から胸回りに掛けた身体部分をホルダー本体１により包み込んだ状態で椅子Ｃの背凭れＣ１に安定的に保持させることができる。
【００２１】
つぎに、図３に示すように、保護者ｂの膝の上に座らせた幼児Ｂの保持について説明する。
この場合は、前記詳述の椅子Ｃでの保持と同じく、左右の保護ベルト２によってカバー本体１の後側保持部１ｂを保護者ｂの身体（腹部や腰回りなど）に取り付けるとともに、膝の上に前向き状態で座らせた幼児Ｂを後側保持部１ｂに対する前側保持部１ａの連結によって膝の上に保持させることができる。
これにより、例えば、家庭や外食店における椅子、あるいは公園などのベンチに保護者ｂが座り、幼児Ｂを膝の上に座らせて食事を与えるときなどには、保護者ｂは両手が開いているために、食べ物が入った器（茶わんなど）を一方の手に持ち、他方の手にスプーンや箸などを持って幼児Ｂに食事を与えることができる。
【符号の説明】
【００２２】
Ａ      ベビーホルダー
１      ホルダー本体
１ａ    前側保持部
１ｂ    後側保持部
１ｃ    股受け部
２      保持ベルト
３    連結部材
Ｂ      幼児
ｂ      保護者
Ｃ      椅子
【図１】
0003172866.tif 000003
【図２】
0003172866.tif 000004
【図３】
0003172866.tif 000005